(57)【要約】  乳房全体を確実に撮影することができる乳房検査用画像撮影装置を提供する。すなわち、本発明によれば、検出器リング内に導入される乳房を確実に装置の撮影視野に位置させることができる。すなわち、本発明に係る乳房検査用画像撮影装置は、検出器リングが有する貫通孔のうち被検体の乳房を挿入する側の開口とは反対側の開口に支持体１４を有している。検出器リングに導入された乳房の先端部は、この支持体１４に阻まれて検出器リング外に突き出ることができず、撮影視野内に位置する当たり面１４ａに当接する。本発明によれば、乳房の先端は撮影視野外に突き出ることがなく、検出器リング内に導入される乳房を確実に装置の撮影視野に位置させることができる。
2015145889.tif 000002
【特許請求の範囲】
【請求項１】
（Ａ）放射線を検出する放射線検出器が弧状に配列されて構成される貫通孔が被検体の薬剤分布をイメージングするときの撮影視野となっている検出器リングと、
前記検出器リングが有する貫通孔のうち被検体の乳房を挿入する側の開口とは反対側の開口に位置するとともに、被検体の乳房の先端部が当接する当たり面を有する支持体とを備え、
前記支持体の当たり面が視野下端を含めた撮影視野内に位置していることを特徴とする乳房検査用画像撮影装置。
【請求項２】
請求項１に記載の乳房検査用画像撮影装置において、
（Ｂ）前記支持体を支持するとともに撮影視野外に配置されるとともに前記検出器リングの開口を閉塞する閉塞部材を備え、
前記支持体は前記閉塞部材に対し着脱可能となっていることを特徴とする乳房検査用画像撮影装置。
【請求項３】
請求項２に記載の乳房検査用画像撮影装置において、
（Ｃ）前記閉塞部材には乳房を挿入する側の開口から前記検出器リングに挿入されたファントムの先端をはめ込んで当接させる凹みが設けられていることを特徴とする乳房検査用画像撮影装置。
【請求項４】
（Ａ）放射線を検出する放射線検出器が弧状に配列されて構成される貫通孔が被検体の薬剤分布をイメージングするときの撮影視野となっている検出器リングと、
（Ｂ）前記検出器リングが有する貫通孔のうち被検体の乳房を挿入する側の開口とは反対側の開口に位置するとともに前記検出器リングの開口を閉塞する閉塞部材を備え、
（Ｃ）前記閉塞部材には乳房を挿入する側の開口から前記検出器リングに挿入されたファントムの先端をはめ込んで当接させる凹みが設けられていることを特徴とする乳房検査用画像撮影装置。
【請求項５】
請求項１ないし請求項４のいずれかに記載の乳房検査用画像撮影装置において、
前記検出器リングの内壁を覆うとともに、被検体の乳房の側部が当接する当たり面を有する円筒形の円筒部材を有し、
前記円筒部材の当たり面が撮影視野内に位置していることを特徴とする乳房検査用画像撮影装置。
【請求項６】
請求項１ないし請求項５のいずれかに記載の乳房検査用画像撮影装置において、
前記検出器リングが有する貫通孔のうち被検体の乳房を挿入する側の開口が前記支持体に対し鉛直上向きに位置していることを特徴とする乳房検査用画像撮影装置。
【発明の詳細な説明】
【技術分野】
【０００１】
本発明は、被検体から放射される消滅放射線のペアを検出して、被検体内の放射性薬剤分布のイメージングを行う乳房検査用画像撮影装置に係り、特に、がん検診用の乳房検査用画像撮影装置に関する。
【背景技術】
【０００２】
医療機関には、放射性薬剤の分布をイメージングする放射線断層撮影装置が配備されている。この様な放射線断層撮影装置の具体的な構成について説明する。従来の放射線断層撮影装置は、放射線を検出する放射線検出器が円環状に並んで構成される検出器リングが備えられている。この検出器リングは、被検体内の放射性薬剤から照射される互いに反対方向となっている一対の放射線（消滅放射線のペア）を検出する（例えば、特許文献１，特許文献２参照）。【０００３】
この様な放射線断層撮影装置の一種として、乳房検査用の放射線断層撮影装置がある。この乳房検査用画像撮影装置について具体的に説明する。図１４は、従来の乳房検査用画像撮影装置について説明する図である。従来の乳房検査用画像撮影装置５１では、検査に際し、被検体Ｍの乳房Ｂの片側が検出器リング６２に導入される。この状態で、検出器リング６２は、被検体Ｍから照射される消滅放射線のペアを検出する。【０００４】
検出器リング６２は、乳房Ｂから発せられた消滅放射線のペアの発生源を特定して、この位置情報を基に放射性薬剤の分布が生成される。放射性薬剤は、正常組織と比べがん組織により多く集積する性質があるので、放射性薬剤の分布図を診断すれば、乳がんの検診が行える。
【先行技術文献】
【特許文献】
【０００５】
【特許文献１】特開２０１２−１０７７２号公報
【特許文献２】特開２００８−９９９３０号公報
【発明の概要】
【発明が解決しようとする課題】
【０００６】
しかしながら、従来構成の乳房検査用画像撮影装置は、以下のような問題点がある。
すなわち、従来装置によれば、被検体の乳房が乳房検査用画像撮影装置からはみ出してしまうことがある。【０００７】
被検体の乳房の大きさは様々である。従来構成の装置では、被検体の乳房が大きいと、乳房の先端が検出器リング６２から突き出してしまうことがある。すると、この突き出た乳房の一部については、放射性薬剤のイメージングを行うことができない。したがって従来装置では、乳房の先端にあるガン組織を発見することができない場合がある。【０００８】
このように、検出器リング内に導入される乳房を確実に装置の撮影視野に位置させるようにしなければ、乳房全体を確実に撮影することができないのである。【０００９】
本発明は、この様な事情に鑑みてなされたものであって、その目的は、乳房全体を確実に撮影することができる乳房検査用画像撮影装置を提供することにある。
【課題を解決するための手段】
【００１０】
本発明は上述の課題を解決するために次のような構成をとる。
すなわち、本発明に係る乳房検査用画像撮影装置は、（Ａ）放射線を検出する放射線検出器が弧状に配列されて構成される貫通孔が被検体の薬剤分布をイメージングするときの撮影視野となっている検出器リングと、検出器リングが有する貫通孔のうち被検体の乳房を挿入する側の開口とは反対側の開口に位置するとともに、被検体の乳房の先端部が当接する当たり面を有する支持体とを備え、支持体の当たり面が撮影視野内に位置していることを特徴とするものである。【００１１】
［作用・効果］本発明によれば、検出器リング内に導入される乳房を確実に装置の撮影視野に位置させることができる。すなわち、本発明に係る乳房検査用画像撮影装置は、検出器リングが有する貫通孔のうち被検体の乳房を挿入する側の開口とは反対側の開口に支持体を有している。検出器リングに導入された乳房の先端部は、この支持体に阻まれて検出器リング外に突き出ることができず、撮影視野内に位置する支持体の当たり面に当接する。本発明によれば、乳房の先端は撮影視野外に突き出ることがなく、検出器リング内に導入される乳房を確実に装置の撮影視野に位置させることができる。【００１２】
また、上述の乳房検査用画像撮影装置において、（Ｂ）支持体を支持するとともに撮影視野外に配置されるとともに検出器リングの開口を閉塞する閉塞部材を備え、支持体は閉塞部材に対し着脱可能となっていればより望ましい。【００１３】
［作用・効果］上述の構成は本発明の装置をより具体的にしたものとなっている。支持体は閉塞部材に対し着脱可能となっていれば、ファントムを用いたメンテナンスを行うときに有利である。この様なファントムは、使用時に先端を撮影視野外に突き出させる必要があり、支持体はそのときに邪魔となる。支持体を取り外せば、検出器リング内に導入されるファントムが撮影視野外に配置されるとともに検出器リングの開口を閉塞する閉塞部材と当接することになる。したがって、上述の構成によればより容易にメンテナンスを行うことができる乳房検査用画像撮影装置が提供できる。【００１４】
また、上述の乳房検査用画像撮影装置において、（Ｃ）閉塞部材には乳房を挿入する側の開口から検出器リングに挿入されたファントムの先端をはめ込んで当接させる凹みが設けられていればより望ましい。【００１５】
［作用・効果］上述の構成は本発明の装置をより具体的にしたものとなっている。閉塞部材に乳房を挿入する側の開口から検出器リングに挿入されたファントムの先端をはめ込んで当接させる凹みが設けられていれば、閉塞部材に当接されるファントムの位置決めを行うことが可能である。検出器リングにファントムを導入するときには、ファントムを所定の位置に置く必要がある。さもなければ、ファントムから放射される放射線を検出器リングで検出しようとしても、検出結果がファントムの位置によって変化してしまう。ファントムを用いて測定したいのはむしろ検出器リングの経時変化であることからすると、検出器リングに導入されるファントムはいつも決まった位置に置く必要があるわけである。上述の構成によれば、閉塞部材がファントムの位置決めをするジグの役割を担っているので、ファントムの位置決めを容易に行うことができる。【００１６】
また、上述の乳房検査用画像撮影装置において、検出器リングの内壁を覆うとともに、被検体の乳房の側部が当接する当たり面を有する円筒形の円筒部材を有し、円筒部材の当たり面が撮影視野内に位置していればより望ましい。【００１７】
［作用・効果］上述の構成は本発明の装置をより具体的にしたものとなっている。検出器リングの内壁を覆う円筒形の円筒部材における乳房の側部が当接する当たり面が撮影視野内に位置していれば、検出器リングに導入された乳房の側部は、この円筒部材に阻まれて検出器リングに接近することができず、撮影視野内に位置する当たり面に当接する。本発明によれば、乳房の側部は撮影視野外となっている検出器リングの内壁周りにふくれ出ることがなく、検出器リング内に導入される乳房を確実に装置の撮影視野に位置させることができる。【００１８】
また、上述の乳房検査用画像撮影装置において、検出器リングが有する貫通孔のうち被検体の乳房を挿入する側の開口が支持体に対し鉛直上向きに位置していればより望ましい。【００１９】
［作用・効果］上述の構成は本発明の装置をより具体的にしたものとなっている。検出器リングが有する貫通孔のうち被検体の乳房を挿入する側の開口が支持体に対し鉛直上向きに位置していれば、乳房は、検出器リングの上部から導入されることになる。検出器リング内部の乳房は自重により垂れ下がろうとするので、乳房は確実に検出器リングの奥深くまで導入されることになるわけである。本発明によれば、この様な状況にあっても、支持体の存在により、乳房の先端が検出器リングの下側から突き出てしまうことがなく、乳房の全体が撮影視野に留まる。【００２０】
本明細書は、上述のような支持体を設けない構成についての発明も開示している。
すなわち、本発明に係る乳房検査用画像撮影装置は、（Ａ）放射線を検出する放射線検出器が弧状に配列されて構成される貫通孔が被検体の薬剤分布をイメージングするときの撮影視野となっている検出器リングと、（Ｂ）検出器リングが有する貫通孔のうち被検体の乳房を挿入する側の開口とは反対側の開口に位置するとともに検出器リングの開口を閉塞する閉塞部材を備え、（Ｃ）閉塞部材には乳房を挿入する側の開口から検出器リングに挿入されたファントムの先端をはめ込んで当接させる凹みが設けられるように構成してもよい。【００２１】
［作用・効果］上述の構成によれば、閉塞部材に乳房を挿入する側の開口から検出器リングに挿入されたファントムの先端をはめ込んで当接させる凹みが設けられていれば、閉塞部材に当接されるファントムの位置決めを行うことが可能である。検出器リングにファントムを導入するときには、ファントムを所定の位置に置く必要がある。さもなければ、ファントムから放射される放射線を検出器リングで検出しようとしても、検出結果がファントムの位置によって変化してしまう。ファントムを用いて測定したいのはむしろ検出器リングの経時変化であることからすると、検出器リングに導入されるファントムはいつも決まった位置に置く必要があるわけである。上述の構成によれば、閉塞部材がファントムの位置決めをするジグの役割を担っているので、ファントムの位置決めを容易に行うことができる。
【発明の効果】
【００２２】
本発明によれば、検出器リング内に導入される乳房を確実に装置の撮影視野に位置させることができる。すなわち、本発明に係る乳房検査用画像撮影装置は、検出器リングが有する貫通孔のうち被検体の乳房を挿入する側の開口とは反対側の開口に位置する支持体が有する乳房の当たり面が撮影視野内に位置している。検出器リングに導入された乳房の先端部は、この支持体に阻まれて検出器リング外に突き出ることができず、撮影視野内に位置する当たり面に当接する。本発明によれば、乳房の先端は撮影視野外に突き出ることがなく、検出器リング内に導入される乳房を確実に装置の撮影視野に位置させることができる。
【図面の簡単な説明】
【００２３】
【図１】実施例１に係る乳房検査用画像撮影装置の全体構成を説明する機能ブロック図である。
【図２】実施例１に係る検出器リングを説明する平面図である。
【図３】実施例１に係る放射線検出器を説明する斜視図である。
【図４】実施例１に係る支持体を説明する斜視図である。
【図５】実施例１に係るカバーを説明する分解斜視図である。
【図６】実施例１に係るカバーと支持体との位置関係を説明する断面図である。
【図７】実施例１に係る撮影視野を説明する断面図である。
【図８】実施例１に係る撮影視野を説明する断面図である。
【図９】実施例１に係る撮影視野を説明する断面図である。
【図１０】実施例１に係るカバーに乳房が導入される様子を説明する模式図である。
【図１１】実施例１に係るカバーにファントムが導入される様子を説明する模式図である。
【図１２】実施例１に係るファントムについて説明する斜視図である。
【図１３】本発明の１変形例について説明する断面図である。
【図１４】従来構成の装置について説明する模式図である。
【発明を実施するための形態】
【００２４】
以降、実施例を参照しながら本発明を実施するための最良の形態について説明する。
【実施例１】
【００２５】
以下、本発明に係る放射線断層撮影装置の実施例について図面を参照しながら説明する。実施例１におけるγ線は本発明の放射線の一例である。なお、実施例１の構成は、乳房検査用画像診断装置となっている。すなわち、実施例１の放射線断層撮影装置は、乳房Ｂに分布する放射性薬剤のイメージングを行って断層画像を生成するＰＥＴ(Positron Emission Tomography)装置の一種である。そして、実施例１の装置は、被検体Ｍの右乳房と左乳房とを片側ずつ２回に分けて撮影する構成となっている。【００２６】
図１は、実施例１に係る放射線断層撮影装置の具体的構成を説明する機能ブロック図である。実施例１に係る放射線断層撮影装置９は、被検体Ｍの乳房Ｂをｚ方向から導入させる開口部を備え底面が閉塞した円筒形状となっているカバー１７と、カバー１７の円筒部を包囲するように設けられたリング状の検出器リング１２とを備えている。検出器リング１２に設けられた開口部は、ｚ方向に伸びた円筒形（正確には、正多角柱）となっている。したがって、検出器リング１２自身もｚ方向に伸びている。なお、検出器リング１２における放射線を検出する放射線検出器１が弧状に配列されて構成される貫通孔が被検体Ｍの薬剤分布をイメージングするときの撮影視野となっている。ｚ方向は、検出器リング１２の中心軸の伸びる方向に沿っている。検出器リング１２は、放射線を検出する後述の放射線検出器が弧状に配列されて構成される。天板１０，検出器リング１２，遮蔽プレート１３，およびカバー１７は、支持台３８に支持されている。【００２７】
天板１０は、腹ばいの状態となった被検体Ｍを載置する目的で設けられている。天板１０には、被検体Ｍの乳房Ｂを挿通する穴がｚ方向に貫通するように設けられており、乳房Ｂは、この穴を通じて乳房Ｂをカバー１７の内部に導入される。カバー１７の開口部は、鉛直上向きに設けられており、乳房Ｂは、この開口部に鉛直下向きの方向から導入されることになる。検出器リング１２が有する貫通孔のうち被検体Ｍの乳房Ｂを挿入する側の開口は、後述の支持体１４に対し鉛直上向きに位置している。【００２８】
遮蔽プレート１３は、タングステンや鉛等で構成される（図１参照）。放射性薬剤は、被検体Ｍの乳房Ｂ以外の部分にも存在するので、そこからも消滅γ線ペアが発生している。この様な関心部位以外から発生する消滅γ線ペアが検出器リング１２に入射すると、断層画像撮影の邪魔となる。そこで、検出器リング１２のｚ方向における被検体Ｍに近い側の一端を覆うようにリング状でγ線を吸収する遮蔽プレート１３が設けられているのである。遮蔽プレート１３は、天板１０と検出器リング１２とに挟まれる位置に配置されている。【００２９】
検出器リング１２の構成について説明する。検出器リング１２は、例えば１０個の放射線検出器１がｚ方向（中心軸方向）に垂直な平面上の仮想円に配列されることで、１つの単位リング１２ａが形成される。この単位リング１２ａがｚ方向に例えば３個配列されて検出器リング１２が構成される（具体的には、図２参照）。【００３０】
放射線検出器１の構成について簡単に説明する。図３は、実施例１に係る放射線検出器の構成を説明する斜視図である。放射線検出器１は、図３に示すように放射線を光に変換するシンチレータ２と、光を検出する光電子増倍管から構成される光検出器３とを備えている。そして、シンチレータ２と光検出器３との介在する位置には、光を授受するライトガイド４が備えられている。【００３１】
シンチレータ２は、シンチレータ結晶が３次元的に配列されて構成されている。シンチレータ結晶は、Ｃｅが拡散したＬｕ２（１−Ｘ）Ｙ２ＸＳｉＯ５（以下、ＬＹＳＯとよぶ）によって構成されている。そして、光検出器３は、どのシンチレータ結晶が光を発したかという光の発生位置を特定することができるようになっているとともに、光の強度や、光の発生した時刻をも特定することができる。また、実施例１の構成のシンチレータ２は、採用しうる態様の例示にすぎない。したがって、本発明の構成は、これに限られるものではない。【００３２】
同時計数部２１（図１参照）には、検出器リング１２から出力された検出信号が送られてきている。検出器リング１２に同時に入射した２つのγ線は、被検体内の放射性薬剤に起因する消滅γ線ペアである。同時計数部２１は、検出器リング１２を構成するシンチレータ結晶のうちの２つの組み合わせ毎に消滅γ線ペアが検出された回数をカウントし、この結果を断層画像生成部２２に送出する。同時計数部２１による検出信号の同時性の判断は、クロックによって検出信号に付与された時刻情報が用いられる。同時計数部２１に送出される検出信号は、被検体Ｍに投薬された放射性薬剤に由来する放射線の検出結果を示すものである。【００３３】
同時計数部２１は、同時計数の結果に係るデータを断層画像生成部２２に送出する。断層画像生成部２２は、このデータに基づいて検出器リング１２の内部に位置する撮影視野における放射性薬剤の分布をイメージングして断層画像を生成する。【００３４】
図４は、本発明に係る支持体１４の構成を説明している。支持体１４は、カバー１７の開口部に設けられる円板状の部材であり、厚み方向をｚ方向と一致させた状態で、カバー１７の底面に敷かれる部材である。この支持体１４は、カバー１７内部に導入される被検体Ｍの乳房Ｂの先端が当接する部材でもある。支持体１４の有する面のうち乳房Ｂが当接するものを当たり面１４ａと呼ぶことにする。このように、支持体１４は、検出器リング１２が有する貫通孔のうち被検体Ｍの乳房Ｂを挿入する側の開口とは反対側の開口に位置するとともに、被検体Ｍの乳房Ｂの先端部が当接する当たり面１４ａを有する。なお、支持体１４は後述の閉塞部材１５に対し着脱可能となっている。もっとも、被検体Ｍの乳房Ｂは、様々な大きさや形がある。したがって、乳房Ｂが小さい場合は、乳房Ｂが支持体１４に当接しないこともある。【００３５】
図５は、本発明に係るカバー１７の構成を説明する分解斜視図となっている。カバー１７は、被検体Ｍの乳房Ｂが検出器リング１２に直接に当接することがないように設けられた乳房Ｂを保護する部材であり、検出器リング１２の開口に配置される部材でもある。カバー１７は、検出器リング１２の開口の形状に倣った円筒形状をした円筒部材１６を備えている。円筒部材１６は、検出器リング１２の内壁を覆うとともに、被検体Ｍの乳房Ｂの側部が当接する当たり面１６ａを有する円筒形の部材である。円筒部材１６の外径は、検出器リング１２の内壁よりも僅かに短くなっている。したがって、円筒部材１６と検出器リング１２との間には僅かな隙間しか生じていない。円筒部材１６の内壁は、被検体Ｍの乳房Ｂが当接する当たり面１６ａになっている。なお、被検体Ｍの乳房Ｂは、様々な大きさや形がある。乳房Ｂが小さい場合は、乳房Ｂが当たり面１６ａに当接しないこともある。【００３６】
カバー１７は、円筒部材１６の中心軸が検出器リング１２の内壁の中心軸と一致した状態で装置に固定されている。【００３７】
カバー１７は、図５に示すように円筒部材１６の一端を閉塞する閉塞部材１５を備えている。閉塞部材１５は、ｚ方向（鉛直方向）に伸びる円筒部材１６の底部を閉塞する部材であり、中心部に円形の凹みを備えた円板状となっている。この凹みは、円筒部材１６から遠ざかる方向（ｚ方向）に伸びており、中心軸が検出器リング１２の内壁の中心軸と一致し、底部が閉塞した円筒形状をしている。中心軸が閉塞部材１５の凹みの周りに位置する円環状の部分は、支持体１４が当接する当たり面１５ａとなっており、閉塞部材１５の凹みの底面は、後述のファントムＰｈ２の先端が当接する当たり面１５ｂとなっている。【００３８】
支持体１４は、カバー１７の閉塞部材１５から着脱することができるのでこの構成について説明する。図６上側は、支持体１４がカバー１７の底部に敷かれた状態を表している。このときの支持体１４は、カバー１７の閉塞部材１５の全面を覆っており、カバー１７の開口から底部を見下ろしても閉塞部材１５を視認することはできない。【００３９】
図６下側は、支持体１４がカバー１７から取り外された状態を表している。このときのカバー１７の開口から底部を見下ろすと、閉塞部材１５および凹みを視認することができる。【００４０】
＜撮影視野について＞
ここで、検出器リング１２の撮影視野について説明する。撮影視野とは、放射性薬剤の分布がイメージングできる範囲のことであり、装置はこの撮影視野から外れた位置の放射性薬剤のイメージングは行うことができない。撮影視野は検出器リング１２の位置によって決定される。撮影視野とは、検出器リング１２により包囲される円柱形状の空間のことである。【００４１】
この撮影視野は検出器リング１２の内部の空間を漠然と意味しているわけではなく、より厳密に範囲が決まっている。撮影視野のｚ方向について幅を決めるのは、検出器リング１２に備えられたシンチレータ２の位置である。すなわち、撮影視野の上限の高さは、図７に示すように検出器リング１２を構成する放射線検出器１のうち最も上側に位置する放射線検出器１の有するシンチレータ２の上面の高さに一致する。また、撮影視野の下限の高さは、図７に示すように検出器リング１２を構成する放射線検出器１のうち最も下側に位置する放射線検出器１の有するシンチレータ２の下面の高さに一致する。このように円筒形状の撮影視野の長さは、シンチレータ２の位置によって決まるのである。【００４２】
なお、より鮮明に放射性薬剤のイメージングする必要性から、撮影視野をこれよりも狭める場合もある。この様な場合であっても、撮影視野の上限が検出器リング１２を構成する放射線検出器１のうち最も上側に位置する放射線検出器１の有するシンチレータ２の上面の高さより高い位置に設定されることはなく、撮影視野の下限が検出器リング１２を構成する放射線検出器１のうち最も下側に位置する放射線検出器１の有するシンチレータ２の下面の高さより低い位置に設定されることもない。【００４３】
それでは、円筒形状の撮影視野の径は、どのように決められるのであろうか。少なくとも検出器リング１２の内壁の径よりも撮影視野の径を広く設定することはできない。放射線の検出に係るシンチレータ２の内部にまで撮影視野を設定することはできないからである。ということは、撮影視野の径を検出器リング１２の内壁の径に一致させれば、撮影視野は最も広くなり都合が良いようにも思われる。撮影視野の径は、検出器リング１２の内径と一致させることができそうである。【００４４】
ところが、実際の撮影視野の径は検出器リング１２の内径よりも狭くなる。この事情について説明する。検出器リング１２を構成する各放射線検出器１は、すべて一様に放射線を検出するわけではない。放射線検出器１は個体差とも言うべき検出感度のムラがあり、このムラを無視して放射性薬剤のイメージングを行うと、放射性薬剤の分布像に検出感度のムラが重畳してしまう。そこで、本発明の構成では検出器リング１２に検出の感度ムラがどのように分布しているかを予め知っておくようにしている。この感度ムラさえ事前に知っておけば、放射性薬剤の分布像に検出感度のムラを消去することができるからである。このような感度ムラは、放射性薬剤を用いた実測により得られる。【００４５】
図８は、感度ムラが実測されている様子を示している。この感度ムラの実測は、検出器リング１２が装置に組み入れられる前に行うので、検出器リング１２の内部には、未だカバー１７が設けられていない。したがって、ファントムＰｈ１とカバー１７との干渉は考えなくてよい。図８に示すように検出器リング１２には、ｚ方向に伸びるリング形状のファントムＰｈ１が挿入されている。このファントムＰｈ１は、検出器リング１２のｚ方向の厚さよりも長い。ファントムＰｈ１を検出器リング１２にセットするときには、ファントムＰｈ１が検出器リング１２の上下両側から突出させるようにする。このようにすることで、ファントムＰｈ１を確実に検出器リング１２の内部に導入することができ、より確実に検出データの収集が可能となる。【００４６】
検出器リング１２の内部にファントムＰｈ１を導入する関係上、検出器リング１２の内壁とファントムＰｈ１との間にはクリアランスが必要である。また、ファントムＰｈ１は、放射性薬剤が溶け込んだ水で満たされた水槽である。この水槽を形作る筐体は、プラスチックなどで構成され、ここからは放射線が照射されない。従って、ファントムＰｈ１を検出器リング１２に挿入しても、検出器リング１２の内部の全域に放射性薬剤を位置させることはできない。【００４７】
実は、ファントムＰｈ１を挿入した状態における放射性薬剤の分布域が撮影視野を決める。ファントムＰｈ１を検出器リング１２に導入して分かるのは、正確には、放射線検出器１の検出の感度ムラに由来するアーチファクトが検出器リング１２の内部空間においてどのように分布しているかである。検出感度のムラは、３次元的な検出器の感度マップとしてデータ化されるわけである。【００４８】
検出器リング１２に被検体Ｍの乳房Ｂを導入して、放射性薬剤のイメージングを行うと、得られたイメージには、放射性薬剤の分布像に感度ムラに由来する偽像が重畳している。この偽像は、実測しておいた感度マップを元に検出器の感度ムラを均一にすることで消去される。したがって、被検体Ｍの乳房Ｂを導入して得られたイメージから偽像を除くことができる空間的な範囲は、この感度マップの範囲内に限られる。言い換えれば、感度マップの範囲内でなければ鮮明な放射性薬剤分布のイメージングを行うことができないわけである。この感度マップの空間的限界こそが撮影視野の限界を決める。言い換えれば、撮影視野の側面は、ファントムＰｈ１が決定するということになる（図８参照）。より正確には、撮影視野の側面は、ファントムＰｈ１を構成する筐体の放射性薬剤入りの水が接する内面に一致する。【００４９】
なお、より鮮明に放射性薬剤のイメージングする必要性から、撮影視野をこれよりも狭める場合もある。この様な場合であっても、撮影視野の側面は、ファントムＰｈ１を構成する筐体の放射性薬剤入りの水が接する内面よりも検出器リング１２の中心軸側に設定される。これにより撮影視野はファントムが決める撮影可能な円柱形状の範囲よりも径が狭くなる。【００５０】
以上の事情をまとめると次のようになる。図９は、円柱形状の撮影視野を表している。このうち上限と下限は、検出器リング１２が有するシンチレータ２の位置で決まり、側面は、校正用のファントムＰｈ１の形状により決まるわけである。【００５１】
＜撮影視野と各部材との位置関係＞
続いて、本発明の最も特徴的である撮影視野と各部材との位置関係について説明する。図１０左側は、カバー１７とカバー１７底面に設けられた支持体１４が撮影視野に対してどのような位置関係となっているかを示している。カバー１７底面の閉塞部材１５の当たり面１５ａに当接している支持体１４は、撮影視野の下限を示す円形の平面を包含する位置と大きさをしている。したがって、支持体１４の当たり面１４ａは、撮影視野の下限よりも上側に位置し、結果的に撮影視野内に位置している。支持体１４の閉塞部材１５に当接する面は、撮影視野の下限よりも下側に位置し、結果的に撮影視野外に位置している。つまり、撮影視野の下限を示す円形の平面は、上述の両面の中間の位置にあることになり、支持体１４の内部に位置する。支持体１４のうち、カバー１７の開口部に近い部分は撮影視野に属し、閉塞部材１５に近い部分（カバー１７の開口部に遠い部分）は撮影視野から外れている。ちなみに、支持体１４を支持する閉塞部材１５は、撮影視野外に配置されている。【００５２】
この様な構成となっていると、被検体Ｍの乳房Ｂをカバー１７の開口から導入したときに、乳房Ｂが撮影視野の外側にはみ出してしまうことがない。カバー１７の開口から導入された乳房Ｂは、図１０の右側に示すように、先端部が支持体１４の当たり面１４ａに当接する。このときの乳房Ｂは、支持体１４によって阻まれて、これらより外側に突き出すことができない。当たり面１４ａは視野下端を含めた撮影視野に属する位置にあるからである。【００５３】
一方、カバー１７を構成する円筒部材１６の上側の高さは撮影視野の上面よりも高くなっている。乳房Ｂの側面が検出器リング１２に向けてふくれ出る隙間が生じないようにする必要性からである。被検体Ｍの乳房Ｂを装置にセットすると、乳房Ｂのすべてを撮影視野に導入することができない。乳房Ｂの付け根部分は撮影視野外に位置することになる。この部分は、撮影視野外にあるからといって、検出器リング１２側にはみ出してよいというわけではない。確実に乳房Ｂを撮影視野内に導入させる必要性と、安全を確保する必要性からである。【００５４】
続いて、円筒部材１６の径について説明する。カバー１７の円筒部材１６は、撮影視野の側面についての範囲を示す円筒形状の面を包含することができるような外径および内径をしている。すなわち、円筒部材１６の内径を決める円筒形状の曲面（当たり面１６ａ）は、撮影視野範囲内にあり、円筒部材１６の外径を決める円筒形状の曲面は、撮影視野範囲外にある。これにより、撮影視野の側面についての範囲を示す円筒形状の面は、上述の２つの曲面の中間の位置にあり、円筒部材１６の内部に位置する。円筒部材１６のうち、中心軸に近い部分は撮影視野に属し、検出器リング１２に近い部分（中心軸から遠い部分）は撮影視野から外れている。【００５５】
この様な構成となっていると、被検体Ｍの乳房Ｂをカバー１７の開口から導入したときに、乳房Ｂが撮影視野の外側にはみ出してしまうことがない。カバー１７の開口から導入された乳房Ｂは、図１０の右側に示すように、側面が円筒部材１６の当たり面１６ａに当接する。このときの乳房Ｂは、円筒部材１６によって阻まれて、これらより外側にふくれ出たりすることができない。当たり面１６ａは撮影視野に属する位置にあるからである。【００５６】
以上のように、カバー１７の開口から導入された乳房Ｂは、先端部が支持部材１４に側部が円筒部材１６にそれぞれ阻まれて、撮影視野外に向けて突出したりふくれ出たりすることができない。本発明によれば、乳房の全域を極力撮影視野内に収めることができる。【００５７】
＜支持体の取り外し＞
上述の支持体１４は、カバー１７の底部から取り外せるようになっている。この構成の意味について説明する。図１１左側は、カバー１７から支持体１４が取り外された状態を示している。この状態で乳房Ｂをカバー１７の開口から挿入してしまうと、乳房Ｂの先端が撮影視野からはみ出してしまう可能性がある。したがって、乳房Ｂの挿入は、支持体１４が取り外された状態で行われない。支持体１４がない状態でカバー１７に挿入されるのは、図１１右側に示すようなメンテナンス用のファントムＰｈ２である。このファントムＰｈ２は、ファントムＰｈ１と同様、長さが撮影視野よりも長くなった円筒形状となっているが、径がファントムＰｈ１より小さい。したがって、ファントムＰｈ２は、カバー１７を備えた状態でも検出器リング１２内部に導入することができる。【００５８】
図１２は、ファントムＰｈ２の外形を表している。このファントムＰｈ２は、検出器リング１２を構成する放射線検出器１の経時的な変化を測定するときに用いられるもので、装置のメンテナンスに必要な構成である。ファントムＰｈ２は、ファントムＰｈ１同様、放射性薬剤が水に分散した水槽であり、ファントムＰｈ２から放射された放射線を検出器リング１２により検出させることで放射線検出器１の経時変化を捉えることができる。【００５９】
ファントムＰｈ２の先端の形状と、閉塞部材１５に設けられた凹みとは、互いに相補的な形状となっており、ファントムＰｈ２の先端を凹みにはめ込むことができる。すなわち、閉塞部材１５の凹みは、乳房Ｂを挿入する側の開口から検出器リング１２に挿入されたファントムＰｈ２の先端をはめ込んで当接させる目的で設けられているわけである。このときファントムＰｈ２の先端は、凹みの底部に設けられた当たり面１５ｂに当接させることができる。【００６０】
このように、閉塞部材１５は、ファントムＰｈ２の位置決めを行うジグともなっている。閉塞部材１５によりファントムＰｈ２は、中心軸が検出器リング１２の中心軸と同じ位置となるように位置決めされる。このように、放射線源の位置を一義的に決定するようにすれば、より確実に検出データの収集が可能となる。ファントムＰｈ２と検出器リング１２との位置関係が所定のものとならないと、検出結果がファントムＰｈ２と検出器リング１２との相対位置で変わってきてしまい、放射線検出器１の経時変化を正確に測れなくなる。本発明によればこの様な事態は生じない。【００６１】
＜撮影視野と閉塞部材との位置関係＞
続いて撮影視野の下部と閉塞部材１５の位置関係について説明する。閉塞部材１５の有する支持体１４の当たり面１５ａおよびファントムＰｈ２の当たり面１５ｂは、撮影視野の下限を示す円形の平面よりも下側に位置しており、いずれも撮影視野から外れている。従って、ファントムＰｈ２の先端を閉塞部材１５の凹みにはめ込むと、ファントムＰｈ２の先端は、撮影視野外の当たり面１５ｂに位置することになる。こうして、図１１右側に示すように、ファントムＰｈ２をカバー１７にセットすると、ファントムＰｈ２が検出器リング１２の上下両側から突出した状態となる。このようにすることで、ファントムＰｈ２を確実に検出器リング１２の内部に導入することができ、より確実に検出データの収集が可能となる。カバー１７の底部に支持体１４が存在する状態では、ファントムＰｈ２をはめ込む凹みが露出しないのでファントムＰｈ２を位置決めできず、ファントムＰｈ２を撮影視野の下側から突出させることができない。したがって、本発明においては、カバー１７の底部に支持体１４が存在する状態ではファントムＰｈ２をカバー１７に挿入しないようにしている。【００６２】
なお、放射線断層撮影装置９は、各部を統括的に制御する主制御部４１を備えている。この主制御部４１は、ＣＰＵによって構成され、各種のプログラムを実行することにより、各部２１，２２を実現している。なお、上述の各部はそれらを担当する制御装置に分割されて実現されてもよい。操作卓３５は、術者が行う各種指示を入力させる目的で設けられている。表示部３６は、断層画像生成部２２が生成した断層画像を表示する目的で設けられている。記憶部３７は、装置の動作に必要なデータの一切を記憶する。【００６３】
以上のように、本発明によれば、検出器リング内に導入される乳房Ｂを確実に装置の撮影視野に位置させることができる。すなわち、本発明に係る放射線断層撮影装置９は、検出器リング１２が有する貫通孔のうち被検体Ｍの乳房Ｂを挿入する側の開口とは反対側の開口に支持体１４を有している。検出器リング１２に導入された乳房Ｂの先端部は、この支持体１４に阻まれて検出器リング１２外に突き出ることができず、撮影視野内に位置する支持体１４の当たり面１４ａに当接する。本発明によれば、乳房Ｂの先端は撮影視野外に突き出ることがなく、検出器リング内に導入される乳房Ｂを確実に装置の撮影視野に位置させることができる。【００６４】
また、上述のように、支持体１４は閉塞部材１５に対し着脱可能となっていれば、ファントムＰｈ２を用いたメンテナンスを行うときに有利である。この様なファントムＰｈ２は、使用時に先端を撮影視野外に突き出させる必要があり、支持体１４はそのときに邪魔となる。支持体１４を取り外せば、検出器リング内に導入されるファントムＰｈ２が撮影視野外に配置されるとともに検出器リング１２の開口を閉塞する閉塞部材１５と当接することになる。したがって、上述の構成によればより容易にメンテナンスを行うことができる乳房検査用画像撮影装置が提供できる。【００６５】
上述のように、閉塞部材１５に乳房Ｂを挿入する側の開口から検出器リング１２に挿入されたファントムＰｈ２の先端をはめ込んで当接させる凹みが設けられていれば、閉塞部材１５に当接されるファントムＰｈ２の位置決めを行うことが可能である。検出器リング１２にファントムＰｈ２を導入するときには、ファントムＰｈ２を所定の位置に置く必要がある。さもなければ、ファントムＰｈ２から放射される放射線を検出器リング１２で検出しようとしても、検出結果がファントムＰｈ２の位置によって変化してしまう。ファントムＰｈ２を用いて測定したいのはむしろ検出器リング１２の経時変化であることからすると、検出器リング１２に導入されるファントムＰｈ２はいつも決まった位置に置く必要があるわけである。上述の構成によれば、閉塞部材１５がファントムＰｈ２の位置決めをするジグの役割を担っているので、ファントムＰｈ２の位置決めを容易に行うことができる。【００６６】
また、検出器リング１２の内壁を覆う円筒形の円筒部材１６における乳房Ｂの側部が当接する当たり面１６ａが撮影視野内に位置していれば、検出器リング１２に導入された乳房Ｂの側部は、この円筒部材１６に阻まれて検出器リング１２に接近することができず、撮影視野内に位置する当たり面１６ａに当接する。本発明によれば、乳房Ｂの側部は撮影視野外となっている検出器リング１２の内壁周りにふくれ出ることがなく、検出器リング内に導入される乳房Ｂを確実に装置の撮影視野に位置させることができる。【００６７】
そして、上述のように、検出器リング１２が有する貫通孔のうち被検体Ｍの乳房Ｂを挿入する側の開口が支持体１４に対し鉛直上向きに位置していれば、乳房Ｂは、検出器リング１２の上部から導入されることになる。検出器リング１２内部の乳房Ｂは自重により垂れ下がろうとするので、乳房Ｂは確実に検出器リング１２の奥深くまで導入されることになるわけである。本発明によれば、この様な状況にあっても、支持体１４の存在により、乳房Ｂの先端が検出器リング１２の下側から突き出てしまうことがなく、乳房Ｂの全体が撮影視野に留まる。【００６８】
本発明は、上述の構成に限られず、下記の様に変形実施することができる。【００６９】
（１）上述の構成によれば、支持体１４が閉塞部材１５の全面を覆うように構成されていたが本発明はこの構成に限られない。図１３左側に示すように、支持体１４が閉塞部材１５に設けられた凹みを覆うように構成してもよい。この場合の閉塞部材１５の凹みの周りは、被検体Ｍの乳房Ｂの先端が当接する当たり面１５ａとなっている。この当たり面１５ａは、支持体１４における被検体Ｍの乳房Ｂの先端が当接する当たり面１４ａと同様、視野下端を含めた撮影視野に属している。閉塞部材１５の凹みにおけるファントムＰｈ２の当たり面は、撮影視野外にある。【００７０】
（２）支持体１４の閉塞部材１５に当接する面は、撮影視野外に位置していたが、当該面の一部またはすべてを撮影視野範囲内に収めるようにしてもよい。【００７１】
（３）上述の構成によれば、円筒部材１６の外径を決める円筒形状の曲面は、撮影視野範囲外に位置していたが、当該曲面の一部またはすべてを撮影視野範囲内に収めるようにしてもよい。【００７２】
（４）上述の構成は、支持体１４を備える構成であったが、本発明はこの構成に限られない。すなわち、本発明は、図１３右側に示すように支持体１４を備えない構成としてもよい。本変形例によれば、カバー１７底面の閉塞部材１５における乳房が接する当たり面１５ａは、撮影視野の下限を示す円形の平面よりも検出器リング１２の中心側（上側）に位置している。この様な構成となっていると、被検体Ｍの乳房Ｂをカバー１７の開口から導入したときに、乳房Ｂが撮影視野の外側にはみ出してしまうことがない。カバー１７の開口から導入された乳房Ｂは、先端部が閉塞部材１５の当たり面１５ａに当接する。このときの乳房Ｂは、当たり面１５ａによって阻まれて、これらより外側に突き出すことができない。当たり面１５ａは視野下端を含めた撮影視野に属する位置にあるからである。【００７３】
一方、閉塞部材１５の凹みの底面であるファントムＰｈ２の当たり面１５ｂは、撮影視野の下限を示す円形の平面よりも下側に位置しており、撮影視野から外れている。従って、ファントムＰｈ２の先端を閉塞部材１５の凹みにはめ込むと、ファントムＰｈ２の先端は、撮影視野外の当たり面１５ｂに位置することになる。こうして、ファントムＰｈ２をカバー１７にセットすると、ファントムＰｈ２が検出器リング１２の上下両側から突出した状態となる。このようにすることで、ファントムＰｈ２を確実に検出器リング１２の内部に導入することができ、より確実に検出データの収集が可能となる。【００７４】
なお、本変形例によれば、カバー１７の開口から導入された乳房Ｂは、一部が閉塞部材１５の凹みに入り込んでしまう可能性がある。こうなってしまうと、乳房Ｂの先端は、撮影視野外に位置してしまうことになる。とはいえ、この様な事態となっても、カバー１７に導入された乳房Ｂの先端のほとんどは、当たり面１５ａに当接することになるから、撮影視野外に位置するのは、乳房Ｂのごく僅かな部分だけである。したがって、閉塞部材１５の凹みに乳房Ｂが入り込んでしまっても特に大きな問題とはならない。
【産業上の利用可能性】
【００７５】
以上のように、本発明は医療装置に適している。
【符号の説明】
【００７６】
１２   検出器リング
１４   支持体
１５   閉塞部材
１６   円筒部材
【図１】
2015145889.tif 000003
【図２】
2015145889.tif 000004
【図３】
2015145889.tif 000005
【図４】
2015145889.tif 000006
【図５】
2015145889.tif 000007
【図６】
2015145889.tif 000008
【図７】
2015145889.tif 000009
【図８】
2015145889.tif 000010
【図９】
2015145889.tif 000011
【図１０】
2015145889.tif 000012
【図１１】
2015145889.tif 000013
【図１２】
2015145889.tif 000014
【図１３】
2015145889.tif 000015
【図１４】
2015145889.tif 000016
【手続補正書】
【提出日】平成28年5月10日(2016.5.10)
【手続補正１】
【補正対象書類名】特許請求の範囲
【補正対象項目名】請求項１
【補正方法】変更
【補正の内容】
【請求項１】
（Ａ）放射線を検出する放射線検出器が弧状に配列されて構成される貫通孔が被検体の薬剤分布をイメージングするときの撮影視野となっている検出器リングと、
前記検出器リングに乳房を挿入する以前から前記検出器リングが有する貫通孔のうち被検体の乳房を挿入する側の開口とは反対側の開口に設けられているとともに、被検体の乳房の先端部が当接する当たり面を有する支持体とを備え、
前記支持体の当たり面が視野下端を含めた撮影視野内に位置していることを特徴とする乳房検査用画像撮影装置。
【手続補正２】
【補正対象書類名】特許請求の範囲
【補正対象項目名】請求項４
【補正方法】変更
【補正の内容】
【請求項４】
（Ａ）放射線を検出する放射線検出器が弧状に配列されて構成される貫通孔が被検体の薬剤分布をイメージングするときの撮影視野となっている検出器リングと、
（Ｂ１）前記検出器リングに乳房を挿入する以前から前記検出器リングが有する貫通孔のうち被検体の乳房を挿入する側の開口とは反対側の開口に設けられているとともに前記検出器リングの開口を閉塞する閉塞部材を備え、
（Ｃ１）前記閉塞部材には被検体の乳房の先端部が当接する当たり面と、乳房を挿入する側の開口から前記検出器リングに挿入されたファントムの先端をはめ込んで当接させる凹みが設けられており、前記当たり面が視野下端を含めた撮影視野内に位置していることを特徴とする乳房検査用画像撮影装置。
【手続補正３】
【補正対象書類名】明細書
【補正対象項目名】００１０
【補正方法】変更
【補正の内容】
【００１０】
本発明は上述の課題を解決するために次のような構成をとる。
すなわち、本発明に係る乳房検査用画像撮影装置は、（Ａ）放射線を検出する放射線検出器が弧状に配列されて構成される貫通孔が被検体の薬剤分布をイメージングするときの撮影視野となっている検出器リングと、検出器リングに乳房を挿入する以前から検出器リングが有する貫通孔のうち被検体の乳房を挿入する側の開口とは反対側の開口に設けられているとともに、被検体の乳房の先端部が当接する当たり面を有する支持体とを備え、支持体の当たり面が視野下端を含めた撮影視野内に位置していることを特徴とするものである。
【手続補正４】
【補正対象書類名】明細書
【補正対象項目名】００２０
【補正方法】変更
【補正の内容】
【００２０】
本明細書は、上述のような支持体を設けない構成についての発明も開示している。
すなわち、本発明に係る乳房検査用画像撮影装置は、（Ａ）放射線を検出する放射線検出器が弧状に配列されて構成される貫通孔が被検体の薬剤分布をイメージングするときの撮影視野となっている検出器リングと、（Ｂ１）検出器リングに乳房を挿入する以前から検出器リングが有する貫通孔のうち被検体の乳房を挿入する側の開口とは反対側の開口に設けられているとともに検出器リングの開口を閉塞する閉塞部材を備え、（Ｃ１）閉塞部材には被検体の乳房の先端部が当接する当たり面と、乳房を挿入する側の開口から検出器リングに挿入されたファントムの先端をはめ込んで当接させる凹みが設けられており、当たり面が視野下端を含めた撮影視野内に位置しているように構成してもよい。
【国際調査報告】
2015145889.tif 000017
2015145889.tif 000018
2015145889.tif 000019
2015145889.tif 000020